(57)【特許請求の範囲】
【請求項１】
容器の側壁との間に、カードの両端部が挿入される間隙を形成するとともに、前記カードの両端部が挿入可能な上部開口を有する一対のカード支持部材と、該一対のカード支持部材間に位置する前記容器の側壁に、上下方向に延在する縦リブとして形成されたカード押さえリブとを有し、且つ、前記カード押さえリブが、前記間隙にその両端部が挿入されたカードの前記一対のカード支持部材間に位置する裏面を押すことにより、前記カードの両端部の表面が、前記カード支持部材に圧接されるように構成したことを特徴とする容器用カード差し。
【発明の詳細な説明】
【０００１】
【発明の属する技術分野】
本発明は、容器の識別、容器に収納されている物品の行き先、物品名、種類、数量等を表示するための容器の側壁に配設される容器用カード差しに関するものである。
【０００２】
【従来の技術】
従来、図５に示されているように、容器の側壁１の外面１ａに対して垂直で、且つ、上下方向に延在する垂直壁部ｃ１と、垂直壁部ｃ１の先端から、側壁１に沿って平行に延在する平行壁部ｃ２と、垂直壁部ｃ１と平行壁部ｃ２と容器の側壁１とにより囲まれた底部ｃ３とからなる、平面形状が、ほぼＬ字状の枠部材Ｃ１を、その側部開口部ｃ４が、相対するように、所定の間隔を置いて配設することにより形成された容器用カード差しＣ’が知られている。そして、カード２の両端部を、枠部材Ｃ１の上部開口ｃ５から、垂直壁部ｃ１と平行壁部ｃ２と容器の側壁１とにより形成されるスリットｃ６に挿入するとともに、カード２の下端を、底部ｃ３に載置することにより、カード２が、容器用カード差しＣ’に保持されるように構成されている。
【０００３】
【発明が解決しようとする課題】
上述した従来の容器用カード差しＣ’においては、スリットｃ６の奥行き（平行壁部ｃ２と容器の側壁１との間隙幅）ｄ１が、カード２の厚さより、相当、大きいので、容器用カード差しＣ’に保持されているカード２が、移動しやすく、容器用カード差しＣ’から外れる等の問題があった。
【０００４】
また、容器が、ベルトコンベヤー等の搬送装置により搬送されている途中で、カード２に印字されたバーコードやカード２に貼付された磁気テープ等を、搬送装置に近接して配設された読み取り装置で読み取る場合に、容器用カード差しＣ’に保持されているカード２が、移動すると、読み取り装置が、容器の識別、容器に収納されている物品の行き先、物品名、種類、数量等の種々の情報が表示或いは記憶されているバーコードや磁気テープ等の情報を、読み取れなかったり、或いは、間違って読み取る等のトラブルが発生する。
【０００５】
本発明の目的は、上述した従来の容器用カード差しが有する課題を解決することにある。
【０００６】
【課題を解決するための手段】
本発明は、上述した目的を達成するために、容器の側壁との間に、カードの両端部が挿入される間隙を形成するとともに、前記カードの両端部が挿入可能な上部開口を有する一対のカード支持部材と、該一対のカード支持部材間に位置する前記容器の側壁に、上下方向に延在する縦リブとして形成されたカード押さえリブとを有し、且つ、前記カード押さえリブが、前記間隙にその両端部が挿入されたカードの前記一対のカード支持部材間に位置する裏面を押すことにより、前記カードの両端部の表面が、前記カード支持部材に圧接されるように構成したものである。
【０００７】
以下に、本発明の実施例について説明するが、本発明の趣旨を越えない限り何ら、本実施例に限定されるものではない。なお、上述した従来の容器用カード差しＣ’と同じ構成部材については、同じ符号を用いるとともに、その詳細な説明は省略する。
【０００８】
Ｂは、一例として、本発明の容器用カード差しＣが配設された運搬用容器であり、本実施例では、運搬用容器Ｂの短側壁ｂ１に、後述する容器用カード差しＣが配設されている。
【０００９】
Ｃ１は、上述した従来の容器用カード差しＣ’の枠部材Ｃ１と同じ構成を有する枠部材Ｃ１であり、同様に、運搬用容器Ｂの短側壁ｂ１の外面ｂ１’に対して垂直で、且つ、上下方向に延在する垂直壁部ｃ１と、垂直壁部ｃ１の先端から、側壁１に沿って平行に延在する平行壁部ｃ２と、垂直壁部ｃ１と平行壁部ｃ２と容器の側壁１とにより囲まれた底部ｃ３とから構成されている。そして、上述した従来の容器用カード差しＣ’と同様に、一対の枠部材Ｃ１は、その側部開口部ｃ４が、相対するように、所定の間隔を置いて配設されており、また、枠部材Ｃ１の上部には、上部開口ｃ５が形成されている。更に、垂直壁部ｃ１と平行壁部ｃ２と容器の側壁１とにより、カード２の端部が挿入されるスリットｃ６が形成されている。
【００１０】
ｃ７は、一対の枠部材Ｃ１間に位置する、運搬用容器Ｂの短側壁ｂ１の外面ｂ１’に形成されたカード押さえリブである。カード押さえリブｃ７は、短側壁ｂ１に対して垂直で、且つ、上下方向に延在する縦リブとして形成されており、カード押さえリブｃ７の奥行き（短側壁ｂ１の外面ｂ１’から、カード押さえリブｃ７の先端までの長さ）ｄ２は、スリットｃ６の奥行き（平行壁部ｃ２と短側壁ｂ１との間隙幅）ｄ１と、ほぼ同じか、若干、長く形成されている。換言すれば、カード押さえリブｃ７の先端ｃ７’が、平行壁部ｃ２の内面ｃ２’と同じか、平行壁部ｃ２の内面ｃ２’を超えて、若干、外側に延出するように構成されている。このようなカード押さえリブｃ７は、対の枠部材Ｃ１間に位置する、運搬用容器Ｂの短側壁ｂ１の外面ｂ１’に、１つ、或いは、２以上、形成することができる。
【００１１】
カード２の両端部を、枠部材Ｃ１の上部開口ｃ５から、垂直壁部ｃ１と平行壁部ｃ２と容器の側壁１とにより形成されるスリットｃ６に挿入するとともに、カード２の下端を、底部ｃ３に載置すると、一対の枠部材Ｃ１間に位置するカード２の裏面２ａが、カード押さえリブｃ７に押されて、カード２の両端部の表面２ｂが、枠部材Ｃ１を構成する平行壁部ｃ２に圧接されるので、カード２が、移動することなく、容器用カード差しＣに保持されることになる。従って、容器用カード差しＣに保持されているカード２が、移動し、容器用カード差しＣから外れるようなことが防止できる。
【００１２】
また、容器用カード差しＣに保持されているカード２が移動しないので、カード２に印刷或いは貼付されたバーコードや磁気テープ等の情報を、読み取り装置が読み取れなかったり、或いは、間違って読み取る等のトラブルを、確実に防止することができる。
【００１３】
ｂ２は、容器用カード差しＣを構成する平行壁部ｃ２の後方に位置する運搬用容器Ｂの短側壁ｂ１に穿設されている透孔であり、透孔ｂ２は、平行壁部ｃ２の内幅ｗ１及び高さｈ１と同じ、幅と高さを有している。この透孔ｂ２は、射出成形等により、容器用カード差しＣを、運搬用容器Ｂと一体成形する際の金型により、形成される透孔である。
【００１４】
次に、図４を用いて、別の実施例について説明する。
【００１５】
運搬用容器Ｂの短側壁ｂ１等に形成された縦リブｂ３と横リブｂ４とで囲まれたカード差し部を構成する、下方に位置する横リブｂ４からは、ほぼ垂直に、上方に延在するカード受け条片ｃ８が立設されている。この実施例においては、３つのカード受け条片ｃ８が形成されている。そして、各カード受け条片ｃ８間には、上述したカード押さえリブｃ７が、その先端ｃ７’が、カード受け条片ｃ８の内面ｃ８’を超えて、若干、外側に延出するように形成されている。なお、カード受け条片ｃ８は、３つに限定されることなく、２つでも、或いは、４つ以上、配設することができる。
【００１６】
カード２の下端が下方に位置する横リブｂ４に載置されるように、カード２を、上方から、カード受け条片ｃ８と短側壁ｂ１間に挿入すると、カード２の裏面２ａが、隣り合うカード受け条片ｃ８間に配置されたカード押さえリブｃ７に押されて、カード２が、移動することなく、容器用カード差しＣに保持されることになる。なお、ｂ５は、上述した透孔ｂ２と同様のカード受け条片ｃ８の後方に位置する運搬用容器Ｂの短側壁ｂ１に穿設されている透孔であり、射出成形等により、容器用カード差しＣを、運搬用容器Ｂと一体成形する際の金型により、形成される透孔である。
【００１７】
上述したように、一対の枠部材Ｃ１やカード受け条片ｃ８等のカード支持部材間に、カード押さえリブｃ７を配置し、カード押さえリブｃ７の先端ｃ７’が、カード支持部材の内面（枠部材Ｃ１の平行壁部ｃ２の内面ｃ２’やカード受け条片ｃ８の内面ｃ８’）と同じか、若干、カード支持部材（枠部材Ｃ１やカード受け条片ｃ８）の内面を超えて、外側に延出するように容器用カード差しＣを構成したので、カード２の裏面２ａが、隣り合うカード支持部材間に配置されたカード押さえリブｃ７に押されて、カード２が、移動することなく、容器用カード差しＣに保持されることになる。
【００１８】
なお、上述した構成を有する容器用カード差しＣは、上述した運搬用容器Ｂに限定されることなく、折り畳みコンテナーや大型容器やボックスパレット等の種々の容器に適用できるものである。
【００１９】
また、上述した実施においては、カード支持部材として、枠部材Ｃ１やカード受け条片ｃ８の例が示されているが、このようなカード支持部材に限定されることなく、Ｕ字状のカード支持部材等の種々のカード支持部材を用いることができる。
【００２０】
【発明の効果】
本発明は、以上説明したように構成されているので、以下に記載されるような効果を奏する。
【００２１】
カード支持部材間に、カード押さえリブを、その先端が、カード支持部材の内面と同じか、或いは、カード支持部材の内面を超えて、外側に延出するように配設したので、容器用カード差しに保持されているカードが、移動し、容器用カード差しから外れるようなことが防止できる。
【００２２】
容器用カード差しに保持されているカードが移動しないので、カードに印刷或いは貼付されたバーコードや磁気テープ等の情報を、読み取り装置が読み取れなかったり、或いは、間違って読み取る等のトラブルを、確実に防止することができる。
【図面の簡単な説明】
【図１】図１は本発明の容器用カード差しが配設された容器の斜視図である。
【図２】図２は本発明のカード差しの拡大斜視図である。
【図３】図３はカードが保持された状態の本発明のカード差しの拡大斜視図である。
【図４】図４は本発明のカード差しの別の実施例の拡大斜視図である。
【図５】図５はカードが保持された状態の従来のカード差しの拡大斜視図である。
【符号の説明】
Ｂ・・・・・・・・・容器
Ｃ・・・・・・・・・容器用カード差し
Ｃ１、ｃ８・・・・・カード支持部材
ｃ７・・・・・・・・カード押さえリブ
【図１】
0003707972.tif 000002
【図２】
0003707972.tif 000003
【図３】
0003707972.tif 000004
【図４】
0003707972.tif 000005
【図５】
0003707972.tif 000006